(57)【要約】【課題】複数の視聴者のそれぞれに、異なる画像と異なる音声とによるコンテンツを視聴させる。【解決手段】複数の視聴者のそれぞれに異なるコンテンツを視聴させる視聴システムであって、複数の視聴者により同時に観視される表示面を有し、複数の視聴者のそれぞれに対して、対応する視聴者に提供するコンテンツの画像を与え他の視聴者に提供するコンテンツの画像を与えない表示部と、複数の視聴者のそれぞれに対応して設けられ、対応する視聴者に対して提供するコンテンツの音声を与える複数の音声出力部と、を備える視聴システムを提供する。【選択図】図１
2012133202.tif 000002
【特許請求の範囲】
【請求項１】
複数の視聴者のそれぞれに異なるコンテンツを視聴させる視聴システムであって、
前記複数の視聴者により同時に観視される表示面を有し、前記複数の視聴者のそれぞれに対して、対応する視聴者に提供するコンテンツの画像を与え他の視聴者に提供するコンテンツの画像を与えない表示部と、
前記複数の視聴者のそれぞれに対応して設けられ、対応する視聴者に対して提供するコンテンツの音声を与える複数の音声出力部と、
を備える視聴システム。
【請求項２】
前記複数の音声出力部のそれぞれは、対応する視聴者に装着され、装着した視聴者に対して提供するコンテンツの音声を出力するヘッドホンである請求項１に記載の視聴システム。
【請求項３】
前記複数の音声出力部のうち何れか１つは、スピーカである請求項２に記載の視聴システム。
【請求項４】
前記複数の視聴者のそれぞれ毎に設けられ、対応する視聴者が視聴するコンテンツを指定するための複数のコントローラを更に備える
請求項１から３のいずれか１項に記載の視聴システム。
【請求項５】
前記表示部は、前記複数の視聴者に対して提供する複数のコンテンツの画像を時分割で表示し、
当該視聴システムは、前記複数の視聴者のそれぞれに装着され、装着した視聴者の視界を開放および遮断するシャッタを有する複数のメガネを更に備え、
前記複数のメガネのそれぞれは、前記表示部が対応する視聴者に対して提供するコンテンツの画像を表示しているタイミングにおいてシャッタを開放し、他の視聴者に対して提供するコンテンツの画像を表示しているタイミングにおいてシャッタを遮断する
請求項１から４のいずれか１項に記載の視聴システム。
【請求項６】
前記表示部は、前記複数の視聴者のそれぞれの眼に対して、当該視聴者に対して提供するコンテンツの画像を表示する表示光を集光し、他の視聴者に対して提供するコンテンツの画像の表示光を与えない
請求項１から４のいずれか１項に記載の視聴システム。
【請求項７】
当該視聴システムは、前記複数の視聴者のそれぞれの視聴位置を検出する検出部を更に備え、
前記表示部は、前記検出部により検出された前記複数の視聴者のそれぞれの位置に応じて、当該視聴者に対して提供するコンテンツの画像を表示する表示光の集光位置を移動させる
請求項６に記載の視聴システム。
【発明の詳細な説明】
【技術分野】
【０００１】
本発明は、視聴システムに関する。
【背景技術】
【０００２】
従来、立体（３Ｄ）画像の提示技術が知られている。この技術の一つとして、物体を右眼から見たときの右眼用画像および当該物体を左眼から見たときの左眼用画像を生成して、右眼用画像および左眼用画像を視聴者の右眼および左眼に対してそれぞれ表示する技術（ステレオ立体視技術）が存在する（例えば、特許文献１、２参照）。
特許文献１  特開平８−２０５２０１公報
特許文献２  特開平７−２８７１９５号公報
【発明の概要】
【発明が解決しようとする課題】
【０００３】
このような技術を用いて、複数の視聴者に対してそれぞれの位置および視線角度に応じて異なる内容の画像を表示することも可能である。しかしながら、それぞれの画像に対応する複数の音声を出力したとしても、対応する視聴者のみに聞かせることができず、異なる内容の音声付き画像を複数の視聴者に視聴させることができない。
【課題を解決するための手段】
【０００４】
上記課題を解決するために、本発明の第１の態様においては、複数の視聴者のそれぞれに異なるコンテンツを視聴させる視聴システムであって、複数の視聴者により同時に観視される表示面を有し、複数の視聴者のそれぞれに対して、対応する視聴者に提供するコンテンツの画像を与え他の視聴者に提供するコンテンツの画像を与えない表示部と、複数の視聴者のそれぞれに対応して設けられ、対応する視聴者に対して提供するコンテンツの音声を与える複数の音声出力部と、を備える視聴システムを提供する。
【０００５】
なお、上記の発明の概要は、本発明の必要な特徴の全てを列挙したものではない。また、これらの特徴群のサブコンビネーションもまた、発明となりうる。
【図面の簡単な説明】
【０００６】
【図１】本実施形態に係る視聴システム１０の構成例の概略を示す。
【図２】本実施形態に係る視聴システム１０の構成例を示す。
【図３】本実施形態に係るメガネ２０における、視聴者毎の切り替え動作の第１例を示す。
【図４】本実施形態に係るメガネ２０における、視聴者毎の切り替え動作の第２例を示す。
【図５】本実施形態の第１変形例に係る表示部１００の構成例を示す。
【図６】本実施形態の第１変形例に係る表示部１００の構成および表示部１００から複数の視聴者のそれぞれに与えられる光の一例を示す。
【図７】本実施形態の第２変形例に係る表示部１００の構成および表示部１００から複数の視聴者のそれぞれに与えられる光の一例を示す。
【発明を実施するための形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００８】
図１は、本実施形態に係る視聴システム１０の構成例の概略を示す。視聴システム１０は、複数の視聴者のそれぞれに異なるコンテンツを視聴させる。視聴システム１０は、複数の視聴者のそれぞれに、異なる画像と当該画像に対応する音声を含むそれぞれのコンテンツを視聴させてよい。視聴システム１０は、コンテンツに含まれる画像を平面画像として観視させてよく、これに代えて、立体視用の画像を観視させてもよい。視聴システム１０は、表示部１００と、複数の音声出力部３０とを備える。
【０００９】
表示部１００は、複数の視聴者により同時に観視される表示面１２を有し、複数の視聴者のそれぞれに対して、対応する視聴者に提供するコンテンツの画像を与え他の視聴者に提供するコンテンツの画像を与えない。本例において、表示部１００は、複数のメガネ２０を有し、当該メガネ２０を装着した複数の視聴者のそれぞれにコンテンツを提供するための複数の画像を表示する。また、本例においては、第１視聴者１４および第２視聴者１６が異なるコンテンツをそれぞれ視聴する例を説明する。
【００１０】
表示部１００は、一例として、複数の視聴者に対して提供する複数のコンテンツの画像を時分割で表示する。例えば、表示部１００は、第１視聴者用の画像および第２視聴者用の画像を時間的に交互に表示する。表示部１００は、第１視聴者用の画像および第２視聴者用の画像をフレーム毎に交互に表示してよい。
【００１１】
複数のメガネ２０は、表示部１００に表示された複数の画像を観賞するために複数の視聴者のそれぞれに装着され、装着した視聴者の視界を開放および遮断するシャッタを有する。メガネ２０は、複数の視聴者のそれぞれに対して、表示部１００により表示された複数の画像のうち視聴者毎に選択された画像を与える。また、メガネ２０は、視聴者の右眼および左眼に対して、表示部１００により表示された複数の画像のうち右眼および左眼毎に選択された一の右眼用画像および左目用画像を与えてもよい。
【００１２】
複数の音声出力部３０は、複数の視聴者のそれぞれに対応して設けられ、対応する視聴者に対して提供するコンテンツの音声を与える。複数の音声出力部３０のそれぞれは、対応する視聴者に装着され、装着した視聴者に対して提供するコンテンツの音声を出力するヘッドホンでよい。また、複数の音声出力部３０は、対応する視聴者の耳に装着されるイヤホンであってもよい。
【００１３】
複数の音声出力部３０のうち何れか１つは、スピーカであってよい。ここで、複数の音声出力部３０は、コンテンツの音声情報を赤外線または電波等で受信して、対応する視聴者に提供してよい。また、複数の音声出力部３０は、提供する音声情報に重畳する環境音等を検出して、検出した環境音情報の逆相の音声データを作り出して提供する音声情報に加えることで、環境音を低減させるノイズキャンセリング機能を有してよい。
【００１４】
また、複数の音声出力部３０は、複数のチャンネルに対応する複数のイヤホンおよび／またはヘッドホンのジャックであってよい。ここで、複数のイヤホンおよび／またはヘッドホンのジャックは、スピーカとは異なる音声を出力してよい。
【００１５】
図２は、本実施形態に係る視聴システム１０の構成例を示す。視聴システム１０は、切替部４０と、コントローラ５０と、制御部６０とを更に備える。
【００１６】
切替部４０は、複数のメガネ２０のそれぞれに設けられており、シャッタの開放および遮断を切り替える。切替部４０は、表示部１００が表示する複数の画像が切り替わるタイミングに同期して、シャッタを切り替える。切替部４０は、シャッタを切り替えるタイミング信号または切り替え周期等の情報を制御部６０から受信して、受信した信号に基づいてシャッタを切り替えてよい。
【００１７】
また、表示部１００が視聴者に対して立体画像を表示すべく複数の画像を表示する場合、切替部４０は、表示された複数の画像の中から何れの画像を視聴者の右眼および左眼に透過させるかを切り替えてよい。切替部４０は、表示部１００が表示する画像が立体画像であるか否かの情報を制御部６０から受信して、受信した信号に基づいてシャッタを切り替えてよい。
【００１８】
複数のコントローラ５０は、複数の視聴者のそれぞれ毎に設けられ、これを用いて視聴者は視聴するコンテンツをそれぞれ指定する。複数のコントローラ５０は、コンテンツの切り換えに加えて、表示する輝度、コントラスト等といった表示部１００の表示設定、および音声出力部３０の音量等を指定可能であってよい。また、複数のコントローラ５０は、他の視聴者用のコンテンツを視聴するようにコンテンツの切り替えを指定できてよい。
【００１９】
また、複数のコントローラ５０は、コンテンツの視聴の開始または停止を指定できてよい。複数のコントローラ５０は、視聴者の指定を電気信号として制御部６０に送信する。ここで、複数のコントローラ５０は、赤外線または電波等を用いた無線通信によって、指定信号を制御部６０に送信してよい。
【００２０】
制御部６０は、初期設定またはコントローラ５０の指定等に基づき、複数の視聴者に対応する複数のコンテンツを提供すべく、表示部１００、複数の切替部４０、および複数の音声出力部に、制御信号およびコンテンツの情報を送信する。ここで、制御部６０は、予め記録装置に記録された情報をコンテンツとして提供してよく、また、コンテンツの情報を受信装置または再生装置等から受け取って提供してもよい。
【００２１】
例えば、制御部６０は、複数の視聴者に対応する複数の画像情報と表示タイミング信号等を表示部１００に送信して、表示部１００に送信した表示タイミングに同期させて複数の画像情報を表示させる。また、制御部６０は、表示部１００に送信した複数の画像情報に対応する音声情報と表示タイミングの情報とを、対応する音声出力部３０にそれぞれ送信する。これによって、複数の視聴者に対応する複数の画像情報を表示タイミングに同期させて表示部１００に表示しつつ、対応する音声を音声出力部３０から出力することができる。
【００２２】
また、制御部６０は、複数の視聴者に対応する複数の画像の表示タイミングの情報を、対応する複数のメガネ２０に送信する。ここで、制御部６０は、複数の画像情報のそれぞれが、立体画像であるか否かを判別する情報も複数のメガネ２０に送信してよい。これによって、複数の視聴者のそれぞれは、それぞれ指定した画像および音声を含むコンテンツを視聴することができる。
【００２３】
制御部６０は、表示部１００と一体となって設置されてよい。これに代えて、制御部６０は、表示部１００とは離れた位置に設置されてよい。この場合、制御部６０は、複数の視聴者に対応する複数の画像情報と表示タイミング信号等を表示部１００に無線通信で送信してよい。
【００２４】
図３は、本実施形態に係るメガネ２０における、視聴者毎の切り替え動作の第１例を示す。本図において、表示部１００は、平面画像を視聴者に表示する例を説明する。図中の水平方向は、時間軸を示す。表示部１００は、制御部６０から受け取った表示タイミングに同期させて、第１視聴者用の画像と第２視聴者用の画像とを切り換えて表示する。
【００２５】
複数のメガネ２０のそれぞれは、表示部１００が対応する視聴者に対して提供するコンテンツの画像を表示しているタイミングにおいてシャッタを開放し、他の視聴者に対して提供するコンテンツの画像を表示しているタイミングにおいてシャッタを遮断する。例えば、第１視聴者１４が装着しているメガネ２０ａに備わる切替部４０ａは、表示部１００が第１視聴者用の画像を表示している場合にメガネ２０ａのシャッタを開放し、表示部１００が第２視聴者用の画像を表示している場合にメガネ２０ａのシャッタを遮断する。ここで、第１視聴者１４に対応する音声出力部３０ａは、制御部６０から受信した第１視聴者用の音声を、制御部６０から受け取ったコンテンツの表示開始に同期させて出力を開始する。
【００２６】
また、第２視聴者１６が装着しているメガネ２０ｂに備わる切替部４０ｂは、表示部１００が第２視聴者用の画像を表示している場合にメガネ２０ｂのシャッタを開放し、表示部１００が第１視聴者用の画像を表示している場合にメガネ２０ｂのシャッタを遮断する。ここで、第２視聴者１６に対応する音声出力部３０ｂは、制御部６０から受信した第２視聴者用の音声を、制御部６０から受け取ったコンテンツの表示開始に同期させて出力を開始する。
【００２７】
音声出力部３０は、対応するコンテンツの表示開始に合わせて音声を出力させ、そのまま対応する視聴者に音声を出力し続けてよい。ここで、制御部６０は、視聴者の数が多くて同一の視聴者が次に見るべき画像に切り替わる前に対応する音声が流れてしまうような、画像と音声の出力タイミングがずれてしまう場合には、出力する画像データを間引いて画像と音声の出力タイミングを合わせてよい。
【００２８】
これによって、視聴システム１０は、複数の視聴者がそれぞれ指定する異なるコンテンツを、音声が他のコンテンツの音声に埋もれることなしに、指定した視聴者にそれぞれ提供することができる。また、視聴システム１０は、複数のメガネ２０と、複数の音声出力部３０と、複数のコントローラ５０のうちの少なくともいずれかと、制御部６０とのデータ送受信を無線通信とすることで、複数の視聴者への複数の配線を省くことができる。
【００２９】
図４は、本実施形態に係るメガネ２０における、視聴者毎の切り替え動作の第２例を示す。本図において、表示部１００は、立体画像を視聴者に表示する例を説明する。図中の水平方向は、時間軸を示す。表示部１００は、制御部６０から受け取った表示タイミングに同期させて、第１視聴者用の立体画像と第２視聴者用の立体画像とを切り換えて表示する。
【００３０】
例えば、表示部１００は、第１視聴者用の立体画像を表示する時間内に、第１視聴者１４の右眼用画像と左目用画像を切り換えて表示する。同様に、表示部１００は、第２視聴者用の立体画像を表示する時間内に、第２視聴者１６の右眼用画像と左目用画像を切り換えて表示する。
【００３１】
ここで、切替部４０ａは、表示部１００が第１視聴者用の右眼用の画像を表示している場合、メガネ２０ａの右眼のシャッタを開放し、メガネ２０ａの左目用のシャッタを遮断する。また、切替部４０ａは、表示部１００が第１視聴者用の左眼用の画像を表示している場合、メガネ２０ａの左眼のシャッタを開放し、メガネ２０ａの右目用のシャッタを遮断する。このように、第１視聴者１４の右眼に右眼用画像を、左目に左目用画像を、それぞれ別個に提供することができるので、表示部１００は、視聴者の視差に対応した右眼用画像と左目用画像を表示することで第１視聴者１４に立体画像を提供することができる。
【００３２】
同様に、切替部４０ｂは、表示部１００が第２視聴者用の右眼用の画像を表示している場合、メガネ２０ｂの右眼のシャッタを開放し、メガネ２０ｂの左目用のシャッタを遮断する。また、切替部４０ｂは、表示部１００が第２視聴者用の左眼用の画像を表示している場合、メガネ２０ｂの左眼のシャッタを開放し、メガネ２０ｂの右目用のシャッタを遮断する。これによって、表示部１００は、第２視聴者１６にも立体画像を提供することができる。
【００３３】
これによって、視聴システム１０は、複数の視聴者がそれぞれ指定する異なる立体画像を含むコンテンツを、音声が他のコンテンツの音声に埋もれることなしに、指定した視聴者にそれぞれ提供することができる。また、視聴システム１０は、平面画像と立体画像が混在する１つの画像情報をコンテンツに含めてよい。
【００３４】
例えば、制御部６０は、画像情報が立体画像であるか否かを判別して、複数のメガネ２０へ判別した結果を送信することで、複数の切替部４０に、平面画像または立体画像に応じた切り換えタイミングでシャッタの開放と遮断を切り換えさせることができる。これによって、視聴システム１０は、１つの画像情報の中で平面画像と立体画像を切り換えて表示することができる。
【００３５】
以上の本実施例において、視聴システム１０は、複数のメガネ２０を用いて複数の視聴者に異なる画像を表示する例を説明した。これに代えて、視聴システム１０は、特殊なメガネを用いずに裸眼で複数の視聴者に異なる画像を表示してもよい。特殊なメガネを用いずに、裸眼で立体画像を提示する技術の一つとして、表示面の前面にパララックスバリアまたはレンチキュラレンズ等を配置して、表示した右側画像および左側画像を、それぞれ右眼および左眼に指向して射出する方式が知られている。
【００３６】
視聴システム１０は、これらの技術を用いてよい。即ち、視聴システム１０の表示部１００は、複数の視聴者のそれぞれの眼に対して、当該視聴者に対して提供するコンテンツの画像を表示する表示光を集光し、他の視聴者に対して提供するコンテンツの画像の表示光を与えない。本実施形態の変形例として、レンチキュラレンズを利用した視聴システム１０について説明する。
【００３７】
図５は、本実施形態の第１変形例に係る表示部１００の構成例を示す。表示部１００は、複数の画像を対応する複数の視聴者のそれぞれに表示することができる。また、表示部１００は、複数の右眼用画像を表示して対応する複数の視聴者のそれぞれの右眼に与え、複数の左眼用画像を表示して複数の視聴者のそれぞれの左眼に与えることもできる。このような表示部１００は、画像分離用の特殊なメガネを装着しない複数の視聴者、即ち、裸眼の複数の視聴者に対して平面像または立体像を提供することができる。
【００３８】
本変形例において、表示部１００は、２名の視聴者に立体像をそれぞれ提供する例を説明する。表示部１００は、表示面となる表示パネル１１２と、レンチキュラレンズ１１４と、光源部１１６とを備える。表示パネル１１２は、右眼用画像および左眼用画像を表示する。表示パネル１１２は、裏面側から照射された光を透過することにより、表示した画像を視聴者に与える透過型パネルである。
【００３９】
表示パネル１１２は、例えば、入射光の第１偏光成分を透過する複数の第１表示領域１２２と、入射光の第２偏光成分を透過する複数の第２表示領域１２４とが交互に配列される。表示パネル１１２は、一例として、第１表示領域１２２に右眼用画像を表示し、第２表示領域１２４に左眼用画像を表示する。第１偏光成分の光および第２偏光成分の光は、偏光方向が互いに直交する直線偏光（Ｓ偏光およびＰ偏光）であってもよいし、回転方向が互いに逆の円偏光であってもよい。
【００４０】
複数の第１表示領域１２２および複数の第２表示領域１２４のそれぞれは、一例として、表示パネル１１２の水平方向（左右方向）に延伸し、表示パネル１１２の垂直方向（上下方向）に交互に配列される。表示パネル１１２は、一例として、第１偏光成分の光を透過する水平ラインと、第２偏光成分の光を透過する水平ラインとを交互に含む構成であってよい。
【００４１】
レンチキュラレンズ１１４は、表示パネル１１２の裏面に設けられる。即ち、レンチキュラレンズ１１４は、表示パネル１１２および光源部１１６の間に設けられる。レンチキュラレンズ１１４は、一例として、表示パネル１１２の上端から下端まで表示パネル１１２の垂直方向にそれぞれ延伸する複数のレンズ１３２を有する。複数のレンズ１３２は、表示パネル１１２の右端から左端まで、表示パネル１１２の水平方向に並べて配列される。
【００４２】
光源部１１６は、レンチキュラレンズ１１４の裏面側に設けられる。光源部１１６は、レンチキュラレンズ１１４を介して、表示パネル１１２の裏面に光を照射する。表示パネル１１２の裏面に照射された光は、表示パネル１１２を透過して視聴者に与えられる。これにより、視聴者は、表示パネル１１２に表示された画像を観賞することができる。
【００４３】
図６は、本実施形態の第１変形例に係る表示部１００の構成および表示部１００から複数の視聴者のそれぞれに与えられる光の一例を示す。第１視聴者および第２視聴者は、音声出力部３０をそれぞれ装着する。それぞれの音声出力部３０は、表示する立体像に対応する視聴者に装着され、装着した視聴者に対して提供するコンテンツの音声を出力する。
【００４４】
光源部１１６は、複数の視聴者のそれぞれの右眼に対応して設けられた複数の右眼光源グループ１４２と、複数の視聴者のそれぞれの左眼に対応して設けられた複数の左眼光源グループ１４４とを有する。複数の右眼光源グループ１４２のそれぞれは、レンチキュラレンズ１１４を通過して対応する視聴者の右眼に向かう平行光を出力する複数の右眼用光源１５２を含む。複数の右眼光源グループ１４２のそれぞれに含まれる複数の右眼用光源１５２は、一例として、表示パネル１１２の裏面の全体に対して微小間隔で全面にわたって均等に配置され、表示パネル１１２の裏面の全体に均一な光を照射する。
【００４５】
そして、レンチキュラレンズ１１４は、複数の右眼光源グループ１４２のそれぞれから出力された光を、対応する観視点である複数の視聴者のそれぞれの右眼に向かう方向に屈折させる。これにより、レンチキュラレンズ１１４および光源部１１６は、表示パネル１１２に表示された右眼用画像を、複数の視聴者のそれぞれの右眼へと集光することができる。
【００４６】
また、複数の左眼光源グループ１４４のそれぞれは、レンチキュラレンズ１１４を通過して対応する視聴者の左眼に向かう平行光を出力する複数の左眼用光源１５４を含む。複数の左眼光源グループ１４４のそれぞれに含まれる複数の左眼用光源１５４は、表示パネル１１２の裏面の全体に対して微小間隔で全面にわたって均等に配置され、表示パネル１１２の裏面の全体に均一な光を照射する。
【００４７】
そして、レンチキュラレンズ１１４は、複数の左眼光源グループ１４４のそれぞれから出力された光を、対応する観視点である複数の視聴者のそれぞれの右眼に向かう方向に屈折させる。これにより、レンチキュラレンズ１１４および光源部１１６は、表示パネル１１２に表示された左眼用画像を、複数の視聴者のそれぞれの左眼へと集光することができる。
【００４８】
本変形例においては、光源部１１６は、第１視聴者１４の右眼位置に対応して設けられた第１の右眼光源グループ１４２−１と、第１視聴者１４の左眼位置に対応して設けられた第１の左眼光源グループ１４４−１と、第２視聴者１６の右眼位置に対応して設けられた第２の右眼光源グループ１４２−２と、第２視聴者１６の左眼位置に対応して設けられた第２の左眼光源グループ１４４−２とを有する。
【００４９】
第１の右眼光源グループ１４２−１は、第１偏光成分の平行光を出力する複数の第１の右眼用光源１５２−１を含む。そして、レンチキュラレンズ１１４は、複数の第１の右眼用光源１５２−１から出力された光のそれぞれを第１視聴者１４の右眼の方向に屈折させる。これにより、第１の右眼光源グループ１４２−１およびレンチキュラレンズ１１４は、右眼用画像を第１視聴者１４の右眼に与えることができる。
【００５０】
第１の左眼光源グループ１４４−１は、第２偏光成分の平行光を出力する複数の第１の左眼用光源１５４−１を含む。そして、レンチキュラレンズ１１４は、複数の第１の左眼用光源１５４−１から出力された光のそれぞれを第１視聴者１４の左眼の方向に屈折させる。これにより、第１の左眼光源グループ１４４−１およびレンチキュラレンズ１１４は、左眼用画像を第１視聴者１４の左眼に与えることができる。
【００５１】
第２の右眼光源グループ１４２−２は、第１偏光成分の平行光を出力する複数の第２の右眼用光源１５２−２を含む。そして、レンチキュラレンズ１１４は、複数の第２の右眼用光源１５２−２から出力された光のそれぞれを第２視聴者１６の右眼の方向に屈折させる。これにより、第２の右眼光源グループ１４２−２およびレンチキュラレンズ１１４は、右眼用画像を第２視聴者１６の右眼に与えることができる。
【００５２】
第２の左眼光源グループ１４４−２は、第２偏光成分の平行光を出力する複数の第２の左眼用光源１５４−２を含む。そして、レンチキュラレンズ１１４は、複数の第２の左眼用光源１５４−２から出力された光のそれぞれを第２視聴者１６の左眼の方向に屈折させる。これにより、第２の左眼光源グループ１４４−２およびレンチキュラレンズ１１４は、左眼用画像を第２視聴者１６の左眼に与えることができる。
【００５３】
表示部１００は、表示制御部１１８と、光源制御部１２０とを更に備える。本変形例において、表示パネル１１２は、第１視点の右眼用画像および左眼用画像と、第２視点の右眼用画像および左眼用画像とを交互に表示する。
【００５４】
なお、第１視点の右眼用画像は、第１視聴者１４の右眼に対応する位置から被写体を見た場合に観察される画像である。第１視点の左眼用画像は、第１視聴者１４の左眼に対応する位置から被写体を見た場合に観察される画像である。第２視点の右眼用画像は、第２視聴者１６の右眼に対応する位置から被写体を見た場合に観察される画像である。第２視点の左眼用画像は、第２視聴者１６の左眼に対応する位置から被写体を見た場合に観察される画像である。これらの画像は、カメラ等により実際に撮影された画像であってもよいし、コンピュータ処理等により生成された画像であってもよい。
【００５５】
表示制御部１１８は、表示パネル１１２による画像の表示タイミングを制御する。より詳しくは、表示制御部１１８は、第１タイミングにおいて、第１表示領域１２２に第１視点の右眼用画像を表示させ、第２表示領域１２４に第１視点の左眼用画像を表示させる。また、表示制御部１１８は、第２タイミングにおいて、第１表示領域１２２に第２視点の右眼用画像を表示させ、第２表示領域１２４に第２視点の左眼用画像を表示させる。
【００５６】
光源制御部１２０は、光源部１１６の発光タイミングを制御する。より詳しくは、光源制御部１２０は、第１タイミングにおいて、第１の右眼光源グループ１４２−１および第１の左眼光源グループ１４４−１を点灯させ、第２の右眼光源グループ１４２−２および第２の左眼光源グループ１４４−２を消灯させる。また、光源制御部１２０は、第２タイミングにおいて、第１の右眼光源グループ１４２−１および第１の左眼光源グループ１４４−１を消灯させ、第２の右眼光源グループ１４２−２および第２の左眼光源グループ１４４−２を点灯させる。
【００５７】
そして、表示部１００は、第１タイミングと第２タイミングとを、視聴者に認識できない程度に高速に（例えば１フレーム毎に）交互に切り替える。これにより、表示部１００によれば、画像分離用の専用メガネを装着しない第１視聴者１４および第２視聴者１６に対して、それぞれの視点に対応する立体像を提供することができる。
【００５８】
なお、本変形例に係る表示部１００は、３以上の視聴者に対して、それぞれの視聴者の視点に対応する立体像を与えてもよい。この場合、光源部１１６は、３以上の視聴者のそれぞれに対応した右眼光源グループ１４２および左眼光源グループ１４４を更に有する。そして、レンチキュラレンズ１１４は、それぞれの視聴者に対応した右眼光源グループ１４２から出力された光を対応する視聴者の右眼に与え、それぞれの視聴者に対応した左眼光源グループ１４４から出力された光を視聴者の左眼に与える。
【００５９】
そして、表示パネル１１２は、第１表示領域１２２に複数の視聴者のそれぞれに対応した右眼用画像を順次に切り替えて表示し、第２表示領域１２４に複数の視聴者のそれぞれに対応した左眼用画像を順次に切り替えて表示する。複数の右眼光源グループ１４２のそれぞれは、対応する視聴者に提供すべき右眼用画像が表示されているタイミングにおいて第１偏光成分の光を出力する。また、複数の左眼光源グループ１４４のそれぞれは、対応する視聴者に提供すべき左眼用画像が表示されているタイミングにおいて第２偏光成分の光を出力する。これにより、表示部１００は、３以上の視聴者に対して、それぞれの視聴者の視点に対応する立体像を提示することができる。
【００６０】
また、本変形例に係る表示部１００は、第１の右眼光源グループ１４２−１および第１の左眼光源グループ１４４−１から第１偏光成分の光を出力し、第２の右眼光源グループ１４２−２および第２の左眼光源グループ１４４−２から第２偏光成分の光を出力する構成であってもよい。この場合、表示パネル１１２は、第１タイミングにおいて、第１表示領域１２２に第１視点の右眼用画像を表示し、第２表示領域１２４に第２視点の右眼用画像を表示する。表示パネル１１２は、第２タイミングにおいて、第１表示領域１２２に第１視点の左眼用画像を表示し、第２表示領域１２４に第２視点の左眼用画像を表示する。
【００６１】
さらに、光源制御部１２０は、第１タイミングにおいて、第１の右眼光源グループ１４２−１および第２の右眼光源グループ１４２−２を点灯させ、第１の左眼光源グループ１４４−１および第２の左眼光源グループ１４４−２を消灯させる。また、表示制御部１１８は、第２タイミングにおいて、第１の右眼光源グループ１４２−１および第２の右眼光源グループ１４２−２を消灯させ、第１の左眼光源グループ１４４−１および第２の左眼光源グループ１４４−２を点灯させる。そして、表示制御部１１８は、第１タイミングと第２タイミングとを例えばフレーム毎に交互に切り替える。
【００６２】
このようにした場合も、表示部１００は、専用メガネを用いない裸眼の第１視聴者１４および第２視聴者１６のそれぞれに対して、互いに異なる立体像を観察させることができる。そして、表示部１００によれば、平行光を出力する複数の光源およびレンチキュラレンズ１１４を用いるので、表示面を大型とすることができ、更に、薄くすることができる。
【００６３】
したがって、視聴システム１０は、本変形例の表示部１００を用いることで、専用メガネを用いずに、複数の視聴者がそれぞれ指定する異なる立体画像を含むコンテンツを、音声が他のコンテンツの音声に埋もれることなしに、指定した視聴者にそれぞれ提供することができる。また、視聴システム１０は、平面画像または平面画像と立体画像が混在する画像情報をコンテンツに含めてよい。
【００６４】
本変形例の表示部１００は、複数の視聴者の右眼には右眼用画像を表示して、左目には左目用画像をそれぞれ表示して、立体像をそれぞれ提供する例を説明した。これに代えて、表示部１００は、複数の視聴者の右眼と左目に略同一の画像をそれぞれ表示して、コンテンツに対応する平面像をそれぞれ提供してもよい。これによって、視聴システム１０は、平面画像または平面画像と立体画像が混在する画像情報をコンテンツに含めることができる。
【００６５】
図７は、本実施形態の第２変形例に係る表示部１００の構成および表示部１００から複数の視聴者のそれぞれに与えられる光の一例を示す。なお、本変形例に係る表示部１００は、図５および図６に示された本実施形態にかかる表示部１００の部材と略同一の構成および機能の部材に同一の符号を付け、説明を省略する。
【００６６】
本変形例に係る表示部１００は、検出部１８０と、方向制御部１８２とを更に備える。本変形例において、複数の右眼光源グループ１４２のそれぞれは、複数の右眼用光源１５２の光の出力方向が変更自在となっている。また、本変形例において、複数の左眼光源グループ１４４のそれぞれは、複数の左眼用光源１５４のそれぞれの光の出力方向が変更自在となっている。
【００６７】
検出部１８０は、当該表示部１００により表示される画像を観賞する複数の視聴者のそれぞれの視聴位置を検出する。検出部１８０は、一例として、複数の視聴者を撮像した画像に基づき少なくとも１人の視聴者の顔を検出し、検出した顔の位置に基づき視聴者の位置を検出する。検出部１８０は、例えば、表示パネル１１２の上部または側部からカメラにより視聴者の方向の画像を撮像して、撮像した画像から顔を検出する。
【００６８】
この場合において、検出部１８０は、一例として、複数の視聴者に赤外光等の不可視光を照射して反射光を撮像し、撮像した画像に基づき少なくとも１人の視聴者の眼を検出する。また、この場合において、検出部１８０は、表示パネル１１２が表示した画像の光に応じた少なくとも１人の視聴者の眼の反射光を検出し、検出した反射光に基づき少なくとも１人の視聴者の眼を検出する。これにより、検出部１８０は、表示部１００に対する視聴者の位置を正確に検出することができる。
【００６９】
表示部１００は、検出部１８０により検出された複数の視聴者のそれぞれの位置に応じて、当該視聴者に対して提供するコンテンツの画像を表示する表示光の集光位置を移動させる。例えば、方向制御部１８２は、検出部１８０により検出された視聴者の位置に応じて、位置を検出した視聴者に対応する複数の右眼光源グループ１４２および複数の左眼光源グループ１４４のそれぞれに含まれる複数の右眼用光源１５２および複数の左眼用光源１５４の位置を移動させて、レンチキュラレンズ１１４からの光の出力方向を変更する。
【００７０】
一例として、方向制御部１８２は、視聴者の位置と複数の複数の右眼用光源１５２および複数の左眼用光源１５４のそれぞれの光の出力方向との対応関係を予めメモリ等に登録しておく。そして、方向制御部１８２は、視聴者が移動する毎に、メモリから視聴者の位置に応じた光の出力方向を読み出して、複数の光源の光の出力方向を変更する。
【００７１】
このような表示部１００によれば、視聴者が移動した場合であっても、右眼に対して正確に右眼用画像を与え、左眼に対して正確に左眼用画像を与えることができる。したがって、視聴システム１０は、本変形例の表示部１００を用いることで、複数の視聴者がそれぞれ指定する異なる立体画像を含むコンテンツを、音声が他のコンテンツの音声に埋もれることなしに、指定した視聴者が移動してもそれぞれ提供することができる。
【００７２】
以上の本実施形態の表示部１００は、レンチキュラレンズを利用して、複数の視聴者の右眼には右眼用画像を、左目には左目用画像をそれぞれ表示する例を説明した。表示部１００は、右側画像および左側画像を、それぞれ右眼および左眼に指向して射出する方式であれば、同様に複数の視聴者に異なるコンテンツを提供することができる。したがって、表示画素の手前に左右２画素ごとに１の穴、または溝を有する遮蔽板を設けることで両眼視差を作り出すパララックスバリア方式を用いてもよい。
【００７３】
以上の本実施形態の視聴システム１０は、複数の視聴者が指定するコンテンツを、複数のコントローラ５０を介して制御部６０が指定信号として受け取り、制御部６０の制御信号に基づいて対応する視聴者のそれぞれに指定したコンテンツの画像情報および音声情報を提供することができる。したがって、１の視聴者が、コンテンツの視聴を中止する場合、コントローラ５０に中止を指定することで、制御部６０は、当該コンテンツの画像情報および音声情報の提供を中止することができる。
【００７４】
例えば、３人の視聴者がそれぞれ３のコンテンツを視聴している場合、視聴システム１０は、表示部１００から時間的に切り換えて３のコンテンツの画像情報を順次表示し、３の音声出力部３０から対応するコンテンツの音声情報をそれぞれ出力する。ここで１の視聴者がコントローラ５０に中止を指定した場合に、制御部６０は、当該コンテンツの画像情報および音声情報の提供を中止して、表示部１００から２のコンテンツの画像情報を時間的に切り換えて順次表示し、２の音声出力部３０から出力しているそれぞれ対応するコンテンツの音声情報を引き続き出力する。
【００７５】
また、複数の視聴者が異なるコンテンツを視聴している場合に、更に１の視聴者がコンテンツの視聴を開始しても、コントローラ５０に開始を指定することで、制御部６０は、当該コンテンツの画像情報および音声情報の提供を開始することができる。例えば、２人の視聴者がそれぞれ２のコンテンツを視聴している場合、視聴システム１０は、表示部１００から時間的に切り換えて２のコンテンツの画像情報を順次表示し、２の音声出力部３０から対応するコンテンツの音声情報をそれぞれ出力する。
【００７６】
ここで１の視聴者がコントローラ５０に視聴の開始を指定した場合に、当該コンテンツの画像情報および音声情報の提供を開始して、表示部１００から３のコンテンツの画像情報を時間的に切り換えて順次表示し、３の音声出力部３０から対応するコンテンツの音声情報をそれぞれ出力する。以上のように、本実施形態の視聴システム１０は、制御部６０の制御信号に同期して複数のコンテンツを複数の視聴者にそれぞれ提供できるので、複数の視聴者が視聴している最中でも、当該視聴を妨げずに視聴者の数を増減させることができる。
【００７７】
また、以上の本実施形態の視聴システム１０において、複数の視聴者が指定する異なるコンテンツに含まれる異なる画像を、時間的に切り換えて順次表示する例を説明した。ここで、異なる画像を時間的に切り換えるタイミングは、予め定められた一定の時間間隔で切り換えてよく、これに代えて、不等間隔に切り換えてもよい。例えば、制御部６０は、動きの激しい画像情報を含むコンテンツの表示時間間隔を長くしてより多くのフレームを表示してよく、また、動きがほとんど無い画像を含むコンテンツの表示時間間隔を短くしてよい。
【００７８】
これによって、視聴システム１０は、動きの激しい動画を含むコンテンツを視聴する場合に、ちらつきの少ない画像を提供することができる。また、視聴システム１０は、より多くの視聴者が視聴しているコンテンツの画像を表示する場合に、当該画像の表示時間間隔を長くしてもよい。これによって、視聴システム１０は、ちらつきを発生させてしまう場合であっても、ちらつきの影響を与える視聴者の数を少なくすることができる。
【００７９】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００８０】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００８１】
１０  視聴システム、１２  表示面、１４  第１視聴者、１６  第２視聴者、２０  メガネ、３０  音声出力部、４０  切替部、５０  コントローラ、６０  制御部、１００  表示部、１１２  表示パネル、１１４  レンチキュラレンズ、１１６  光源部、１１８  表示制御部、１２０  光源制御部、１２２  第１表示領域、１２４  第２表示領域、１３２  レンズ、１４２  右眼光源グループ、１４４  左眼光源グループ、１５２  右眼用光源、１５４  左眼用光源、１８０  検出部、１８２  方向制御部
【図１】
2012133202.tif 000003
【図２】
2012133202.tif 000004
【図３】
2012133202.tif 000005
【図４】
2012133202.tif 000006
【図５】
2012133202.tif 000007
【図６】
2012133202.tif 000008
【図７】
2012133202.tif 000009